(57)【要約】【課題】簡素な構成かつ小型でありながら良好な光学性能を有するヘッドアップディスプレイ装置を提供すること。【解決手段】ヘッドアップディスプレイ装置１００は、表示素子１１によって形成された画像を投影光学系１５によって投影して中間スクリーン１６ｍ上に中間像ＴＩを形成し、中間像ＴＩを虚像生成光学系１７によって虚像表示させるものであって、虚像生成光学系１７は、単一の自由曲面ミラー１７ａを有し、中間スクリーン１６ｍは、拡散特性を有する反射面であり、虚像生成光学系１７の光軸と投影光学系１５の光軸は、中間スクリーン１６ｍにおいて非正反射の関係にある。【選択図】図２
2020016799.tif 000002
【特許請求の範囲】
【請求項１】
表示素子によって形成された画像を投影光学系によって投影して中間スクリーン上に中間像を形成し、前記中間像を虚像生成光学系によって虚像表示させるヘッドアップディスプレイ装置であって、
前記虚像生成光学系は、単一の自由曲面ミラーを有し、
前記中間スクリーンは、拡散特性を有する反射面であり、
前記虚像生成光学系の光軸と前記投影光学系の光軸は、前記中間スクリーンにおいて非正反射の関係にあることを特徴とするヘッドアップディスプレイ装置。
【請求項２】
前記中間スクリーンは、自由曲面形状を有することを特徴とする請求項１に記載のヘッドアップディスプレイ装置。
【請求項３】
前記中間スクリーンは、シリンドリカル形状を有することを特徴とする請求項１に記載のヘッドアップディスプレイ装置。
【請求項４】
前記中間スクリーンは、球面形状を有することを特徴とする請求項１に記載のヘッドアップディスプレイ装置。
【請求項５】
前記中間スクリーンの位置を変える駆動装置を備えることを特徴とする請求項１〜４のいずれか一項に記載のヘッドアップディスプレイ装置。
【請求項６】
前記駆動装置は、前記中間スクリーンを前記投影光学系の中間像形成位置の近傍における焦点深度内で移動させることを特徴とする請求項５に記載のヘッドアップディスプレイ装置。
【請求項７】
前記投影光学系は、変倍光学系であり、前記中間スクリーンの移動と同期して、前記投影光学系のピント位置を前記中間スクリーン位置に追従させることを特徴とする請求項５及び６のいずれか一項に記載のヘッドアップディスプレイ装置。
【請求項８】
前記投影光学系において、光射出側に光学的パワーを有さないミラーが配置されていることを特徴とする請求項１〜７のいずれか一項に記載のヘッドアップディスプレイ装置。
【請求項９】
前記光学的パワーを有さないミラーは、前記中間スクリーンの移動と同期して動くことを特徴とする請求項８に記載のヘッドアップディスプレイ装置。
【発明の詳細な説明】
【技術分野】
【０００１】
本発明は、投影光学系によって形成した中間像を虚像生成光学系によって虚像表示させるタイプのヘッドアップディスプレイ装置に関するものである。
【背景技術】
【０００２】
従来のヘッドアップディスプレイ（ＨＵＤ）装置は、例えば自動車に搭載され、かかるＨＵＤ装置では、虚像を運転者からある一定の距離離れた位置に生成するのが一般的である。そもそもＨＵＤを自動車に搭載する目的は、運転者の視線やピント移動を最小限に抑えることで、より安全な運転を支援するものであるが、車速の低速時及び高速時でドライバーの眼のピント位置が異なるため、虚像の距離が固定されたままであると、ピント合わせの時間が必要となり、わずかな時間ではあるが前方に注意が向かない時間が生じる。高速走行時にはわずかな時間でも移動距離としては大きいため危険な状況に陥りかねない。また、従来はスピードメーター、ナビ等の簡素な表示に限られていたＨＵＤであるが、昨今は拡張現実（ＡＲ）を利用したＡＲ  ＨＵＤが注目を集めつつある。これは例えばスピードメーターやナビに加え、前方の対向車、歩行者等の危険因子に対して虚像のマーキングを表示し、ドライバーに事前に危険を察知させるようなシステムが実現されつつある。ＡＲ  ＨＵＤは、その用途を鑑みるに、広い視野を必要とされるのが一般的と言えるが、広い視野角と大きいアイボックスとを両立しようとすると、原理的に光学ミラーが大きくなるため、車のダッシュボード下の限りあるスペースに光学系が収まらないといった不具合を生じやすい。
【０００３】
特許文献１には、広い視野角を実現したＡＲ  ＨＵＤに好適な光学系が開示されている。しかしながら、自由曲面ミラーを２枚使用しているため、装置としては大きくなりがちであると考えられる。
【０００４】
特許文献２には、ＭＥＭＳを組み込んだ走査光学系と、中間像を形成するマイクロレンズアレイと、１枚の自由曲面ミラーとを備えるヘッドアップディプレイが開示されているが、この光学系はマイクロレンズアレイが透過性を有する光学素子であるため、車の進行方向に大型化するものとなっている。
【先行技術文献】
【特許文献】
【０００５】
【特許文献１】国際公開第２０１５／０９８０７５号
【特許文献２】特開２０１７−９７２９６号公報
【発明の概要】
【０００６】
本発明は、簡素な構成かつ小型でありながら良好な光学性能を有するヘッドアップディスプレイ装置を提供することを目的とする。
【０００７】
上記目的を達成するため、本発明に係るヘッドアップディスプレイ装置は、表示素子によって形成された画像を投影光学系によって投影して中間スクリーン上に中間像を形成し、中間像を虚像生成光学系によって虚像表示させるヘッドアップディスプレイ装置であって、虚像生成光学系は、単一の自由曲面ミラーを有し、中間スクリーンは、拡散特性を有する反射面であり、虚像生成光学系の光軸と投影光学系の光軸は、中間スクリーンにおいて非正反射の関係にある。
【０００８】
上記ヘッドアップディスプレイ装置によれば、虚像生成光学系を単一の自由曲面ミラーを有するものとすることで、虚像生成光学系を簡単な構成として小型化することができる。また、中間スクリーンを反射面とすることで、虚像生成光学系の自由曲面ミラーと中間スクリーンとを結ぶ方向に対応する前後方向に関する光学系サイズの増加を抑えることができる。結果的に、投影光学系の配置の自由度が増え、所定のパッケージ形状に収めることが容易になる。なお、中間スクリーンの拡散度については、本来必要な拡散度に加え、中間スクリーン前後の光学系における光軸角度ズレを見込んで広げておけばよい。
【０００９】
本発明の具体的な１つの側面では、上記ヘッドアップディスプレイ装置において、本発明のさらに別の側面では、中間スクリーンは、自由曲面形状を有する。この場合、虚像生成光学系が単一の自由曲面ミラーを有するものであっても、中間スクリーンでの収差補正によって光学性能を確保したまま小型化を達成することが容易になる。
【００１０】
本発明の別の側面では、中間スクリーンは、シリンドリカル形状を有する。この場合、中間スクリーンは、作製が容易で安価なものとなる。
【００１１】
本発明のさらに別の側面では、中間スクリーンは、球面形状を有する。この場合、中間スクリーンは、作製が容易で安価なものとなる。
【００１２】
本発明のさらに別の側面では、中間スクリーンの位置を変える駆動装置を備える。この場合、虚像投影距離を変えることができ、ドライバーのピント移動の負担を減らすことができる。
【００１３】
本発明のさらに別の側面では、駆動装置は、中間スクリーンを投影光学系の中間像形成位置の近傍における焦点深度内で移動させる。この場合、投影光学系を簡素な構成とできるため、光学系の駆動機構をシステムとしての複雑化を回避して装置のコストを下げることができる。
【００１４】
本発明のさらに別の側面では、投影光学系は、変倍光学系であり、中間スクリーンの移動と同期して、投影光学系のピント位置を中間スクリーン位置に追従させる。この場合、投影光学系のＦナンバーを小さくできるので輝度の高い虚像を投影することができる。
【００１５】
本発明のさらに別の側面では、投影光学系において、光射出側に光学的なパワーを有さないミラーが配置されている。この場合、投影光学系の配置の自由度が増えるため、所定のパッケージ形状に収めることが容易となる。
【００１６】
本発明のさらに別の側面では、光学的なパワーを有さないミラーは、中間スクリーンの移動と同期して動く。この場合、投影光学系の配置の自由度が増えるのみならず、投影光学系を変倍光学系としなくてもピント位置を中間スクリーンに追従させられるため、簡素な構成とでき装置のコストを下げることができる。
【図面の簡単な説明】
【００１７】
【図１】（Ａ）は、第１実施形態のヘッドアップディスプレイ装置を車体に搭載した状態を示す側方断面図であり、（Ｂ）は、ヘッドアップディスプレイ装置を説明する車内側からの正面図である。
【図２】ヘッドアップディスプレイ装置の具体的な構成例を説明する拡大側方断面図である。
【図３】（Ａ）及び（Ｂ）は、中間スクリーンに入射する光線と中間スクリーンから射出される光線との具体例を説明する図である。
【図４】中間スクリーンの湾曲量に関する条件式中のパラメーターを説明する概念的断面図である。
【図５】（Ａ）及び（Ｂ）は、具体的実施例の光学系を説明する側断面図である。
【図６】（Ａ）及び（Ｂ）は、具体的実施例の光学系を説明する平面図である。
【図７】図２に示すヘッドアップディスプレイ装置を含む移動体用表示システムを説明する概念的なブロック図である。
【図８】移動体用表示システムによる具体的な表示状態を説明する斜視図である。
【図９】第２実施形態のヘッドアップディスプレイ装置を説明する図である。
【図１０】第３実施形態のヘッドアップディスプレイ装置を説明する図である。
【発明を実施するための形態】
【００１８】
〔第１実施形態〕
以下、図面を参照しつつ、本発明に係るヘッドアップディスプレイ装置の第１実施形態について説明する。
【００１９】
図１（Ａ）及び１（Ｂ）を参照して、本実施形態のヘッドアップディスプレイ装置１００は、車体２内に搭載される表示装置であり、描画ユニット１０と表示スクリーン２０とを備える。ヘッドアップディスプレイ（ＨＵＤ：Head-Up Display）装置１００は、描画ユニット１０中の後述する表示素子１１（図２参照）に表示されている画像情報を、表示スクリーン２０を介して運転者（観察者）ＵＮ向けに虚像表示するものである。
【００２０】
ＨＵＤ装置１００のうち描画ユニット１０は、車体２のダッシュボード４内に埋め込むように設置されており、運転関連情報や危険信号等を含む画像に対応する表示光ＨＫを表示スクリーン２０に向けて出射する。表示スクリーン２０は、コンバイナーとも呼ばれるハーフミラーであり、半透過性を有する凹面鏡又は平面鏡である。表示スクリーン２０は、下端の支持によってダッシュボード４上に立設され、描画ユニット１０からの表示光ＨＫを車体２の後方に向けて反射する。つまり、図示の場合、表示スクリーン２０は、フロントガラス（ウインドシールド）８とは別体で設置される独立型のものとなっているが、表示スクリーン２０はウインドシールドそのものであってもよい。
【００２１】
図１（Ａ）及び図２に示すように、ハーフミラーである表示スクリーン２０で反射された表示光ＨＫは、運転席６に座った運転者ＵＮの瞳ＨＴ及びその周辺位置に対応するアイボックスＥＢに導かれる。運転者ＵＮは、表示スクリーン２０で反射された表示光ＨＫ、つまり車体２の前方にある虚像としての表示像ＩＭを観察することができる。一方、運転者ＵＮは、ハーフミラーである表示スクリーン２０を透過した外界光、つまり前方景色、自動車等の実像を観察することができる。結果的に、運転者ＵＮは、表示スクリーン２０の背後の外界像に重ねて、表示スクリーン２０での表示光ＨＫの反射によって形成される運転関連情報や危険信号等を含む表示像（虚像）ＩＭを観察することができる。
【００２２】
図２に示すように、描画ユニット１０は、本体光学系１３と、本体光学系１３を動作させる表示制御部１８と、本体光学系１３等を収納するハウジング１４とを備える。これらのうち本体光学系１３と表示スクリーン（コンバイナー）２０とを組み合わせたものは、虚像表示光学系３０を構成する。虚像表示光学系３０は、横方向の視野角が７°以上となっている。なお、図２等において座標軸ＸＹＺは、一般的な運転者ＵＮの瞳ＨＴ間の位置に対応するアイボックスＥＢの中心を原点とするが、便宜上原点をシフトさせた状態で表示されている。
【００２３】
本体光学系１３は、表示素子（表示デバイス）１１と、表示素子１１に形成された画像を拡大した中間像ＴＩを形成可能な投影光学系１５と、中間像ＴＩの結像位置に近接して光路後段に配置される反射型拡散部材１６と、中間像ＴＩを虚像に変換する虚像生成光学系１７とを備える。詳細は後述するが、本体光学系１３によって、虚像投影距離が可変となっている。本体光学系１３のうち虚像生成光学系１７と、本体光学系１３の上方に配置された表示スクリーン２０とを組み合わせたものは、射出側合成光学系３０ｂを構成する。
【００２４】
本体光学系１３において、表示素子１１は、２次元的な表示面１１ａを有する描画デバイス（表示部）である。表示素子１１の表示面１１ａに形成された像は、本体光学系１３のうち投影光学系１５で拡大されて中間像ＴＩを反射型拡散部材１６上に形成し、虚像生成光学系１７等へ導かれる。この際、２次元表示が可能な表示素子１１を用いることで、中間像ＴＩ又は表示像（虚像）ＩＭの切換えを比較的高速とできる。表示素子１１には、デジタルミラーデバイス（ＤＭＤ：Digital Mirror Device）や反射型液晶デバイス（ＬＣＯＳ：Liquid crystal on silicon）を用いることができる。表示素子１１としてＤＭＤやＬＣＯＳを用いると、明るさを維持しつつ画像を高速で切り替えること（高速の間欠表示を含む）が容易になり、虚像距離又は投影距離を変化させる表示に有利である。応用例として、表示素子１１は、虚像を複数距離に同時投影する場合には虚像１距離あたり例えば３０ｆｐｓ以上、好ましくは６０ｆｐｓ以上のフレームレートで表示させる。これにより、異なる投影距離に複数の表示像（虚像）ＩＭを運転者ＵＮに対して同時に表示されているように見せる際に虚像のちらつきを改善できる。
【００２５】
投影光学系１５は、本体レンズ１５ａと、折曲げミラー１５ｂとを有する。本体レンズ１５ａは、固定焦点のレンズ系であり、図示を省略するが、複数のレンズを有する。投影光学系１５のＦ値は、１．８以上となっている。投影光学系１５は、表示素子１１の表示面１１ａに形成された画像を適当な倍率に拡大投影し、反射型拡散部材１６の表面に設けた中間スクリーン１６ｍに近接した位置に中間像ＴＩ（又は中間スクリーン１６ｍの位置に強制中間像ＴＩ’）を形成する。強制中間像ＴＩ’は、中間像ＴＩそのものの他、中間像ＴＩから位置ずれして僅かにピントがボケたものも含み、広義に中間像ＴＩと呼ぶこともある。なお、折曲げミラー１５ｂは、平面ミラーであり、光学的パワーを有しない。
【００２６】
反射型拡散部材１６は、表面に中間スクリーン１６ｍを設けた反射型の拡散部材である。中間スクリーン１６ｍは、拡散特性を有する反射面である。中間スクリーン１６ｍは、全体に亘って反射率９０％以上を確保することが望ましい。中間スクリーン１６ｍは、結像位置（つまり中間像ＴＩの結像予定位置又はその近傍）において強制中間像ＴＩ’を形成する。中間スクリーン１６ｍは、反射拡散角を所望の角度に制御することができる。後述するように反射型拡散部材１６又は中間スクリーン１６ｍを光軸ＡＸ方向に移動させることにより、強制中間像ＴＩ’の位置も光軸ＡＸ方向に移動させることができる。中間スクリーン１６ｍに強制中間像ＴＩ’が形成されるため、ここが新たな２次光源となって光が拡散するので、虚像生成光学系１７で拡大投影してもアイボックスＥＢを広く確保することができる。反射型拡散部材１６又は中間スクリーン１６ｍとしては、例えば拡散板、拡散スクリーン、マイクロレンズアレイ等を用いることができる。
【００２７】
反射型拡散部材１６は、配置変更用の駆動装置６２に駆動されて例えば一定速度又は周期的な運動で光軸ＡＸに沿って移動する。本例の場合、光軸ＡＸとは、表示デバイス（描画デバイス）である表示素子１１の中心と、アイボックスＥＢの中心と、ＨＵＤ装置１００によって作られる表示素子１１の中心に対応する像点（虚像）とを通るものである。ただし、反射型拡散部材１６又は中間スクリーン１６ｍの移動は、アイボックスＥＢの確保等を考慮して、中間スクリーン１６ｍの光入射側ではなく光射出側において光軸ＡＸに沿ったものとする。駆動装置６２によって反射型拡散部材１６又は中間スクリーン１６ｍを光軸ＡＸに沿って移動させることで、虚像生成光学系１７によって表示スクリーン（コンバイナー）２０の背後に形成される虚像としての表示像ＩＭと観察者である運転者ＵＮとの距離を長く、または短くすることができる。つまり、駆動装置６２は、本体光学系１３の構成配置を変化させて投影距離を変化させる。このように、投影される表示像ＩＭの位置を前後に変化させるとともに、表示内容をその位置に応じたものとすることで、表示像ＩＭまでの虚像距離又は投影距離を変化させつつ表示像ＩＭを変化させることになり、一連の投影像としての表示像ＩＭを３次元的なものとすることができる。反射型拡散部材１６又は中間スクリーン１６ｍの光軸ＡＸに沿った移動範囲は、中間像ＴＩの結像予定位置又はその近傍に相当するものであるが、投影光学系１５の反射型拡散部材１６側の焦点深度の範囲内とすることが望ましい。これにより、強制中間像ＴＩ’の状態と虚像としての表示像ＩＭの結像状態とを、いずれもほぼピントが合った良好な状態とすることができる。反射型拡散部材１６の光軸ＡＸ方向の移動量は、例えば２０ｍｍ以下となっている。これにより、反射型拡散部材１６の移動を効率良く行うことができ、反射型拡散部材１６の応答性を向上させることができる。反射型拡散部材１６の移動速度は、虚像としての表示像ＩＭが複数個所又は複数虚像距離に同時に表示されているかのように見せることができる速度であることが望ましい。駆動装置６２は、例えば１５Ｈｚ以上の速度で反射型拡散部材１６を移動させる。この場合、観察者（運転者ＵＮ）の知覚を超える速さのため、観察者は投影距離の異なる虚像をほぼ同時に認識することができる。
【００２８】
反射型拡散部材１６は、支持部材６２ａに支持されている。支持部材６２ａは、駆動装置６２の台座６２ｂに光軸ＡＸ方向に沿った所定の範囲内で移動可能に取り付けられている。反射型拡散部材１６又は中間スクリーン１６ｍが移動範囲の最も上流側（つまり、自由曲面ミラー１７ａに最も近い左下側）に配置されたタイミングでは、この時点で中間スクリーン１６ｍに表示されている画像が、ハーフミラーである表示スクリーン（コンバイナー）２０の背後の最も近くに虚像として表示される。また、反射型拡散部材１６又は中間スクリーン１６ｍが移動範囲の最も下流側（つまり、自由曲面ミラー１７ａから最も遠い右上側）に配置されたタイミングでは、この時点で中間スクリーン１６ｍに表示されている画像が、ハーフミラーである表示スクリーン（コンバイナー）２０の背後の最も遠くに虚像として表示される。
【００２９】
虚像生成光学系１７は、反射型拡散部材１６の中間スクリーン１６ｍに形成された強制中間像ＴＩ’を表示スクリーン２０と協働して拡大する拡大光学系であり、運転者ＵＮの前方に虚像としての表示像ＩＭを形成する。虚像生成光学系１７は、単一の自由曲面ミラー１７ａのみで構成される。ここで、自由曲面ミラー１７ａは、全体として凹形状を有し、光学的なパワーを有している。自由曲面ミラー１７ａは、アイボックスＥＢの縦方向に関して、射出方向を入射方向に対して傾けた偏芯タイプ又は非正面反射型の光学素子となっている。
【００３０】
射出側合成光学系３０ｂにおいて、反射型拡散部材１６の中間スクリーン１６ｍは、画角に対応して矩形の輪郭を有する。中間スクリーン１６ｍは、例えば自由曲面形状又はシリンドリカル形状を有し、短辺方向及び長辺方向で湾曲形状が異なるものとなっている。これにより、短辺方向及び長辺方向で光学倍率が異なる構成である場合に光学性能を効率良く改善することができる。ここで、自由曲面形状は、非球面も含むものである。また、短辺方向及び長辺方向は、中間スクリーン１６ｍ上の中間像ＴＩの形から定義され、例えば横長の虚像を表示させるケースを考えると、短辺方向は、虚像の垂直方向（Ｙ方向）に対応し、長辺方向は、虚像の水平方向（Ｘ方向）に対応する。中間スクリーン１６ｍをシリンドリカル形状とする場合、中間像ＴＩの長辺方向におおよそ沿った凸形状を有する。
【００３１】
広い視野角を有するＨＵＤ装置１００を小型化するためには、虚像生成光学系１７を構成する自由曲面ミラー１７ａは、１枚であることが好ましく、また高い光学倍率を有することが望ましいが、倍率が高くなればなるほど、像面湾曲が大きくなり、原理的に１枚の自由曲面ミラー１７ａでは補正が困難になくなる。そのため中間スクリーン１６ｍを湾曲させることで小型かつ良好に収差の補正された虚像表示光学系３０を実現できる。一方、中間スクリーン１６ｍの最適な湾曲量は、虚像生成光学系１７の光学倍率により決定されるが、光学系全体を所定のパッケージ形状に収める都合上、投影光学系１５の焦点距離には設計の自由度がほとんど無いと言ってよい状態であるため、虚像生成光学系１７と投影光学系１５の光線角度がマッチングできず、特に長辺方向に大きな輝度分布が生じる可能性がある。このため、中間スクリーン１６ｍの長辺方向の湾曲量は、表示像（虚像）ＩＭの像品質と輝度分布の両性能を鑑みたうえで設定することが望ましい。
【００３２】
なお、以上の説明では、中間スクリーン１６ｍが短辺方向に平坦性を有する拡散性の反射面である場合を基本として説明したが、中間スクリーン１６ｍは、短辺方向にも凸形状に湾曲した拡散性の反射面とすることができる。一般的に、横方向（長辺方向に対応）の視野角に対して縦方向（短辺方向に対応）の視野角は半分近く小さく設定されるため、中間スクリーン１６ｍの短辺方向の像面湾曲量はそれほど目立つものではないが、中間スクリーン１６ｍにおいて短辺方向にも曲率を持たせることで光学性能を向上させることができる。さらに、中間スクリーン１６ｍの湾曲率又は湾曲形状を長辺方向と短辺方向とで異なるものにすることで、虚像生成光学系１７の光学倍率が横方向と縦方向とで異なる場合に光学性能を全体で向上させることができる。
【００３３】
中間スクリーン１６ｍの湾曲量は下記条件式を満たす。
0.5＊h/sin[|θH-θP|/2]＜R＜1.5＊h/sin[|θH-θP|/2]    …    （１）
R：中間スクリーン１６ｍの湾曲半径
h：中間スクリーン１６ｍ上の中間像ＴＩの長辺方向長さの半値
θH：虚像生成光学系１７の中間像ＴＩの横端における光線角度
θP：投影光学系１５の中間像ＴＩの横端における光線角度
【００３４】
条件式（１）の範囲を満たすことにより、光学性能を担保しつつ、虚像の輝度分布を小さくすることができる。条件式（１）の値Ｒが上限値を下回ることで、中間スクリーン１６ｍの湾曲量が適切なものとなり虚像に生じうる像面湾曲を低減することができる。一方、条件式（１）の値Ｒが下限値を上回ることで、長辺方向の輝度分布が適切なものとなる。
【００３５】
図４は、光線角度θＨ，θＰを説明する図である。光線角度θＰは、投影光学系１５から中間スクリーン１６ｍに入射する表示光ＨＫの正面方向又はＺ方向を基準とする光線角度であり、光線角度θＨは、中間スクリーン１６ｍから虚像生成光学系１７へ射出される表示光ＨＫの正面方向又はＺ方向を基準とする光線角度である。なお、正反射の場合、虚像生成光学系１７側の光線角度θＨと投影光学系１５側の光線角度θＰとの間には、以下の関係
θＰ＝θ１
θＨ＝θ１＋２θ０
が成り立つので、
Ｒ＝ｈ／ｓｉｎ［｜θＨ−θＰ｜／２］
となる。
【００３６】
なお、中間スクリーン１６ｍの左右両端で光線角度θＨ，θＰが異なる場合、中間スクリーン１６ｍの左右両端で条件式（１）が満たされることが望ましい。
【００３７】
中間スクリーン１６ｍは、短辺方向に対応する縦方向と長辺方向に対応する横方向とで拡散特性が異なるものとなっている。ここでも、短辺方向及び長辺方向は、中間スクリーン１６ｍ上の中間像ＴＩの形から定義され、例えば横長の虚像を表示させるケースを考えると、短辺方向は、虚像の垂直方向又は縦方向に対応し、長辺方向は、虚像の水平方向又は横方向に対応する。中間スクリーン１６ｍは、アイボックスＥＢの横方向又はＸ方向に対応し中間スクリーン１６ｍ上での第１方向である長辺方向と、それに直交するアイボックスＥＢの縦方向又はＹ方向に対応し中間スクリーン１６ｍ上での第２方向である短辺方向とで、拡散度が異なるものとなっている。また、中間スクリーン１６ｍは、非正反射型の拡散特性を有する。この結果、虚像生成光学系１７の光軸ＡＸ２と投影光学系１５の光軸ＡＸ１とは、中間スクリーン１６ｍとの交差点において正反射の関係を満たさない非正反射の関係にあり、入射した表示光ＨＫを正反射の方向に対してずれた方向に拡散しつつ反射する偏向特性を有する。中間スクリーン１６ｍは、短辺方向に対応する縦方向だけでなく長辺方向に対応する横方向にも偏向特性を有していてもよい。これにより、投影光学系１５の配置自由度をより増やすことができる。また、表示像（虚像）ＩＭの輝度分布を改善することができる。中間スクリーン１６ｍの拡散度については、虚像生成光学系１７の入射ＮＡに対する投影光学系１５の射出ＮＡの相対差又は不足を補う観点で基本的拡散度を設定する。しかしながら、本実施形態の光学系のように、虚像生成光学系１７の光軸ＡＸ２と投影光学系１５の光軸ＡＸ１とが中間スクリーン１６ｍにおいて非正反射の関係にある場合、光量ロスを低減して光利用効率を高める観点で、中間スクリーン１６ｍは、拡散度を単純に大きくするのではなく、拡散度に偏向特性を持たせたものとなっている。中間スクリーン１６ｍが反射や拡散に関して偏向特性を有する場合、基本的拡散度に対して光軸ＡＸ１，ＡＸ２の対称性のずれに相当する偏角又は角度ズレを加味して方向性を持たせた拡散度を設定する。
【００３８】
なお、中間スクリーン１６ｍの拡散度については、本来必要な拡散度に加え、中間スクリーン１６ｍ前後の光学系における光軸角度ズレを見込んで広げてもよい。
【００３９】
図３（Ａ）は、中間スクリーン１６ｍの縦断面に関する拡散特性を説明する図である。この場合、光軸ＡＸ１上の表示光ＨＫの中間スクリーン１６ｍへの入射角はα１０であり、表示光ＨＫの中間スクリーン１６ｍからの光軸ＡＸ２に沿った射出角はα２０であり、α１０≠α２０となっている。また、光軸ＡＸ１外の表示光ＨＫの中間スクリーン１６ｍへの入射角はα１１，α１２であり、表示光ＨＫの中間スクリーン１６ｍからの光軸ＡＸ２に沿った射出角はα２１，α２２であり、α１１≠α２１、かつ、α１２≠α２２となっている。このように、中間スクリーン１６ｍは、位置に応じて偏向特性が異なっている。これにより、表示像（虚像）ＩＭの輝度分布を最適化することができる。つまり、中間スクリーン１６ｍは、短辺方向に対応する縦断面において偏向特性を有するだけでなく、中間スクリーン１６ｍ上の各点で偏向特性が異なっており、短辺方向に偏向特性の線形又は非線形的な分布を有する。具体的実施例に則して説明すると、入射角α１０，α１１，α１２は、例えば１８°、２１°、及び１５°に設定される。この場合、射出角α２０，α２１，α２２は、光線の結合効率を確保する観点で、例えば−６°、−１３°、及び０°に設定される。つまり、偏角は、＋１２°、＋８°、及び＋１５°となっており、全体として正の値であるが光軸ＡＸ２から外れるほど大きくなっている。
【００４０】
図３（Ｂ）は、中間スクリーン１６ｍの横断面に関する拡散特性を説明する図である。この場合、光軸ＡＸ１上の表示光ＨＫの中間スクリーン１６ｍへの入射角はβ１０であり、表示光ＨＫの中間スクリーン１６ｍからの光軸ＡＸ２に沿った射出角はβ２０であり、β１０＝β２０となっている。また、光軸ＡＸ１外の表示光ＨＫの中間スクリーン１６ｍへの入射角はβ１１，β１２であり、表示光ＨＫの中間スクリーン１６ｍからの光軸ＡＸ２に沿った射出角はβ２１，β２２であり、β１１≠β２１、かつ、β１２≠β２２となっている。このように、中間スクリーン１６ｍは、位置に応じて偏向特性が異なっている。つまり、中間スクリーン１６ｍは、長辺方向に対応する横断面において偏向特性を有するだけでなく、中間スクリーン１６ｍ上の各点で偏向特性が異なっており、長辺方向に偏向特性の線形又は非線形的な分布を有する。具体的実施例に則して説明すると、入射角β１０，β１１，β１２は、例えば６°、１１．５°、及び０．５°に設定される。この場合、射出角β２０，β２１，β２２は、光線の結合効率を確保する観点で、例えば−６°、２３°、及び１１°に設定される。
【００４１】
反射型拡散部材１６の拡散特性は、公知の手法で調整することができる。基板の表面に偏向特性に合わせて傾斜した微小な斜面を設けるとともに、この斜面上に使用波長以下のサイズを有する微少凹凸を形成したり、使用波長以下の幅を有するライン状の凹凸を形成したりすることにより、反射型拡散部材１６の拡散特性に所望の方向性を持たせるよう調整することができる。
【００４２】
以上のように、中間スクリーン１６ｍは、短辺方向に対応する縦方向と長辺方向に対応する横方向とで拡散特性が異なるものとなっており、短辺方向の位置と長辺方向の位置とに応じて偏向特性が変化するといった偏向特性の分布を有するものとなっている。この結果、縦横の拡散度を光学仕様に合わせて最適化することができ、光量ロスを減らすことができるため、さらなる光利用効率の向上が可能となっている。
【００４３】
また、太陽光ゴーストの発生回避という観点から、投影光学系１５の光軸ＡＸ１と虚像生成光学系１７の光軸ＡＸ２との中間スクリーン１６ｍにおけるズレを敢えて大きく設定することで、正規光と同じルート（表示光ＨＫが通るルート）でウインドシールドを通過してＨＵＤ内部に入ってきた太陽光のうち中間スクリーン１６ｍで反射・拡散した光が、アイボックスＥＢに到達するのを防止することができる。好ましくは中間スクリーン１６ｍにおける短辺方向の偏光角を短辺方向の拡散度よりも大きく設定することが望ましい。
【００４４】
以上の説明では、中間スクリーン１６ｍ上の各点で、最大拡散度の方向（例えば射出角α２０，α２１，α２２の方向）に関して表示光ＨＫの反射率が同じであることを前提として説明を行ったが、反射率に分布を持たせることもできる。つまり、中間スクリーン１６ｍは、位置に応じて反射率の分布が異なる。これにより、虚像生成光学系１７等に起因する表示像ＩＭの輝度分布の偏りを低減することができ、輝度分布を改善することができる。
【００４５】
図５（Ａ）は、具体的実施例の光学系を説明する側断面図であり、中間スクリーン１６ｍから射出側合成光学系３０ｂにかけての光学面及び光線を示している。図５（Ｂ）は、具体的実施例の光学系を説明する拡大側断面であり、表示素子１１から虚像生成光学系１７にかけての光学面及び光線を示している。
【００４６】
図６（Ａ）は、具体的実施例の光学系を説明する平面図であって、図５（Ａ）に対応し、中間スクリーン１６ｍから射出側合成光学系３０ｂにかけての光学面及び光線を示している。図６（Ｂ）は、具体的実施例の光学系を説明する拡大平面図であって、図５（Ｂ）に対応し、表示素子１１から虚像生成光学系１７にかけての光学面及び光線を示している。
【００４７】
図２に戻って、ハウジング１４は、表示光ＨＫを通過させる開口１４ａを有し、この開口１４ａには、フィルム又は薄板状の光透過部材１４ｂを配置することができる。
【００４８】
図７は、移動体用表示システム２００を説明するブロック図であり、移動体用表示システム２００は、その一部としてヘッドアップディスプレイ装置１００を含む。このヘッドアップディスプレイ装置１００は、図２に示す構造を有するものであり、ここでは説明を省略する。図７に示す移動体用表示システム２００は、移動体である自動車等に組み込まれるものである。
【００４９】
移動体用表示システム２００は、ヘッドアップディスプレイ装置１００のほかに、運転者検出部７１と、環境監視部７２と、主制御装置９０とを備える。
【００５０】
運転者検出部７１は、運転者ＵＮの存在や視点位置を検出する部分であり、運転席用カメラ７１ａと、運転席用画像処理部７１ｂと、運転席画像判断部７１ｃとを備える。運転席用カメラ７１ａは、車体２内のダッシュボード４の運転席正面に設置されており（図１（Ｂ）参照）、運転者ＵＮの頭部及びその周辺の画像を撮影する。運転席用画像処理部７１ｂは、運転席用カメラ７１ａで撮影した画像に対して明るさ補正等の各種画像処理を行って運転席画像判断部７１ｃでの処理を容易にする。運転席画像判断部７１ｃは、運転席用画像処理部７１ｂを経た運転席画像からオブジェクトの抽出又は切り出しを行うことによって運転者ＵＮの頭部や目を検出するとともに、運転席画像に付随する奥行情報から車体２内における運転者ＵＮの頭部の存否とともに運転者ＵＮの目の空間的な位置（結果的に視線の方向）を算出する。
【００５１】
環境監視部７２は、前方に近接する自動車、自転車、歩行者等を識別する部分であり、外部用カメラ７２ａと、外部用画像処理部７２ｂと、外部画像判断部７２ｃとを備える。外部用カメラ７２ａは、車体２内外の適所に設置されており、運転者ＵＮ又はフロントガラス８の前方、側方等の外部画像を撮影する。外部用画像処理部７２ｂは、外部用カメラ７２ａで撮影した画像に対して明るさ補正等の各種画像処理を行って外部画像判断部７２ｃでの処理を容易にする。外部画像判断部７２ｃは、外部用画像処理部７２ｂを経た外部画像からオブジェクトの抽出又は切り出しを行うことによって自動車、自転車、歩行者等の対象物（例えば図８に示すオブジェクトＯＢ参照）の存否を検出するとともに、外部画像に付随する奥行情報から車体２前方における対象物の空間的な位置を算出する。
【００５２】
なお、運転席用カメラ７１ａや外部用カメラ７２ａ、特に外部用カメラ７２ａは、図示を省略しているが、例えば複眼型の３次元カメラである。つまり、両カメラ７１ａ，７２ａは、結像用のレンズと、ＣＭＯＳその他の撮像素子とを一組とするカメラ素子をマトリックス状に配列したものであり、撮像素子用の駆動回路をそれぞれ有する。各カメラ７１ａ，７２ａを構成する複数のカメラ素子は、例えば奥行方向の異なる位置にピントを合わせるようになっており、或いは相対的な視差を検出できるようになっており、各カメラ素子から得た画像の状態（フォーカス状態、オブジェクトの位置等）を解析することで、画像内の各領域又はオブジェクトまでの距離を判定できる。
【００５３】
なお、上記のような複眼型のカメラ７１ａ，７２ａに代えて、２次元カメラと赤外距離センサーとを組み合わせたものを用いても、撮影した画面内の各部（領域又はオブジェクト）に関して奥行方向の距離情報を得ることができる。また、複眼型のカメラ７１ａ，７２ａに代えて、２つの２次元カメラを分離配置したステレオカメラによって、撮影した画面内の各部（領域又はオブジェクト）に関して奥行方向の距離情報を得ることができる。その他、単一の２次元カメラにおいて、焦点距離を高速で変化させながら撮像を行うことによっても、撮影した画面内の各部に関して奥行方向の距離情報を得ることができる。
【００５４】
表示制御部１８は、主制御装置９０の制御下で虚像表示光学系３０を動作させて、表示スクリーン２０の背後に虚像距離又は投影距離が変化する３次元的な表示像ＩＭを表示させる。表示制御部１８は、主制御装置９０を介して環境監視部７２から受信した表示形状や表示距離を含む表示情報から、虚像表示光学系３０に表示させる表示像ＩＭを生成する。表示像ＩＭは、例えば表示スクリーン２０の背後に存在する自動車、自転車、歩行者その他の対象物に対してその奥行き位置方向に関して周辺に位置する表示枠のような標識とすることができる。
【００５５】
表示制御部１８は、主制御装置９０を介して運転者検出部７１から運転者ＵＮの存在や目の位置に関する検出出力を受け取る。これにより、虚像表示光学系３０による表示像ＩＭの投影の自動的な開始や停止が可能になる。また、運転者ＵＮの視線の方向のみに表示像ＩＭの投影を行うこともできる。さらに、運転者ＵＮの視線の方向の表示像ＩＭのみを明るくする、点滅する等の強調を行った投影を行うこともできる。
【００５６】
主制御装置９０は、ヘッドアップディスプレイ装置１００、環境監視部７２等の動作を調和させる役割を有し、環境監視部７２によって検出した対象物の空間的な位置に対応するように、虚像表示光学系３０によって投影される表示枠の空間的な配置を調整する。
【００５７】
図８は、具体的な表示状態を説明する斜視図である。観察者である運転者ＵＮの前方は観察視野に相当する検出領域ＶＦとなっている。検出領域ＶＦ内、つまり道路及びその周辺に、歩行者等である人のオブジェクトＯＢ１や、自動車等である移動体のオブジェクトＯＢ２が存在すると考える。この場合、主制御装置９０は、ヘッドアップディスプレイ装置１００によって３次元的な表示像（虚像）ＩＭを投影させ、各オブジェクトＯＢ１，ＯＢ２，ＯＢ３に対して関連情報像としての表示枠ＨＷ１，ＨＷ２，ＨＷ３を付加する。この際、運転者ＵＮから各オブジェクトＯＢ１，ＯＢ２，ＯＢ３までの距離が異なるので、表示枠ＨＷ１，ＨＷ２，ＨＷ３を表示させる表示像ＩＭ１，ＩＭ２，ＩＭ３までの投影距離は、運転者ＵＮから各オブジェクトＯＢ１，ＯＢ２，ＯＢ３までの距離に相当するものとなっている。なお、表示像ＩＭ１，ＩＭ２，ＩＭ３の投影距離は、離散的であり、オブジェクトＯＢ１，ＯＢ２，ＯＢ３までの現実の距離に対して正確に一致させることはできない。ただし、表示像ＩＭ１，ＩＭ２，ＩＭ３の投影距離と、オブジェクトＯＢ１，ＯＢ２，ＯＢ３までの現実の距離との差が大きくなければ、運転者ＵＮの視点が動いても視差が生じにくく、オブジェクトＯＢ１，ＯＢ２，ＯＢ３と表示枠ＨＷ１，ＨＷ２，ＨＷ３との配置関係をほぼ維持することができる。
【００５８】
以上で説明したヘッドアップディスプレイ装置１００によれば、虚像生成光学系１７を単一の自由曲面ミラー１７ａを有するものとすることで、虚像生成光学系１７を簡単な構成として小型化することができる。また、中間スクリーン１６ｍを反射面とすることで、虚像生成光学系１７の自由曲面ミラー１７ａと中間スクリーン１６ｍとを結ぶ方向に対応する前後方向又はＺ方向に関する光学系サイズの増加を抑えることができる。結果的に、投影光学系１５の配置の自由度が増え、所定のパッケージ形状に収めることが容易になる。なお、中間スクリーン１６ｍを反射面とした場合、投影光学系１５が虚像生成光学系１７の光路に干渉しないように配置する必要があるため、投影光学系１５の光軸ＡＸ１と虚像生成光学系１７の光軸ＡＸ２とが中間スクリーン１６ｍにおいて正反射の関係になるとは限らない。そのため、通常の拡散板では正反射方向が最も強度が強くなるため、虚像の短辺方向に輝度分布の偏りが生じるおそれがある。しかしながら、少なくとも短辺方向に偏向特性を有する中間スクリーン１６ｍを用いることで、投影光学系１５の光軸ＡＸ１と虚像生成光学系１７の光軸ＡＸ２とが中間スクリーン１６ｍにおいて正反射の関係でない場合でも、短辺方向の輝度分布の偏りを抑えることができる。また、中間スクリーン１６ｍの拡散度については、中間スクリーン１６ｍ前後の光学系における光軸角度ズレを見込んで広げる必要がなく最適な拡散度に設定できるため、光量のロスが少なく光利用効率の良い装置を実現することができる。
【００５９】
〔第２実施形態〕
以下、第２実施形態に係るヘッドアップディスプレイ装置について説明する。なお、第２実施形態のヘッドアップディスプレイ装置は第１実施形態のヘッドアップディスプレイ装置を変形したものであり、特に説明しない事項は第１実施形態と同様である。
【００６０】
図９に示すように、投影光学系１５の本体レンズ１５ａを構成する一部の光学素子１５ｄを本体レンズ１５ａ内で変位させることにより、投影光学系１５の結像状態を結像駆動部６５によって調整することができる。これにより、中間スクリーン１６ｍの移動に同期させて本体レンズ１５ａ又は投影光学系１５のフォーカス状態を調整でき、投影光学系１５の焦点深度を狭くしながら中間像ＴＩの結像状態を良好に保つことができる。
【００６１】
〔第３実施形態〕
以下、第３実施形態に係るヘッドアップディスプレイ装置について説明する。なお、第３実施形態のヘッドアップディスプレイ装置は第１実施形態のヘッドアップディスプレイ装置を変形したものであり、特に説明しない事項は第１実施形態と同様である。
【００６２】
図１０に示すように、結像駆動部１６５によって投影光学系１５の折曲げミラー（平面ミラー）１５ｂを光軸ＡＸに沿って変位させることにより、投影光学系１５の結像状態を調整することができる。これにより、中間スクリーン１６ｍの移動に同期させて本体レンズ１５ａ又は投影光学系１５のフォーカス状態を調整でき、投影光学系１５の焦点深度を狭くしながら中間像ＴＩの結像状態を良好に保つことができる。
【００６３】
以上では、具体的な実施形態としてのヘッドアップディスプレイ装置について説明したが、本発明に係るヘッドアップディスプレイ装置は、上記のものには限られない。例えば、上記実施形態において、ヘッドアップディスプレイ装置１００の配置を上下反転させて、フロントガラス８の上部又はサンバイザー位置に表示スクリーン２０を配置することもできる。この場合、描画ユニット１０の斜め下方前方に表示スクリーン２０が配置される。上記実施形態では表示スクリーン２０を平面又は凹面としたが、対称性をもたない自由曲面であってもよい。
【００６４】
上記実施形態において、表示スクリーン２０の輪郭は、矩形に限らず、様々な形状とすることができる。
【００６５】
図２等に示す本体光学系１３は、単なる例示であり、これら本体光学系１３の光学的構成については適宜変更することができる。例えば、虚像生成光学系１７又は投影光学系１５の光路中において、光学的なパワーを持たない１つ以上のミラーを配置してもよい。
【００６６】
また、上記実施形態において、描画デバイスである表示素子１１として、ＤＭＤやＬＣＯＳ等を用いたが、液晶ディスプレイ（ＬＣＤ：liquid crystal display）や、他の種類の表示デバイス、例えば有機ＥＬを用いてもよい。また、表示素子１１は、反射型の素子の代わりに、ＭＥＭＳを利用した走査型の映像デバイスを用いてもよい。
【００６７】
また、上記実施形態において、表示スクリーン２０としてコンバイナーを設けずに、図１（Ａ）に示すフロントガラス（ウインドシールド）８に設けてもよい（図２参照）。具体的には、例えばフロントウインドウを形成するフロントガラス（ウインドシールド）８の運転席正面に設けた矩形の反射領域の内側に表示スクリーン２０を貼り付けてもよい。なお、表示スクリーン２０は、フロントガラス８内に埋め込むこともできる。
【００６８】
また、上記実施形態では、反射型拡散部材１６を光軸ＡＸに沿って移動させる構成としたが、反射型拡散部材１６を光軸ＡＸ方向に移動させないで固定することもできる。
【００６９】
また、上記実施形態において、中間スクリーン１６ｍの構成は、ＨＵＤ装置１００の仕様に応じて適宜変更することができる。例えば、中間スクリーン１６ｍは、縦方向又は短辺方向のみ偏向特性を有する構成としてもよい。また、中間スクリーン１６ｍは、横方向又は長辺方向に凸形状に湾曲していなくてもよい。また、中間スクリーン１６ｍの位置に応じて反射率の分布や偏向特性が異なっていなくてもよい。
【００７０】
また、上記実施形態において、中間スクリーン１６ｍは、短辺において長辺と異なる凸の湾曲形状を有してもよい、つまり、縦方向において横方向と異なる凸の湾曲形状を有してもよいとしたが、例えば球面のように縦方向に横方向と同じ凸の湾曲形状を有してもよい。中間スクリーン１６ｍは、球面形状を有していても、近似的に目標とする結像を実現でき、このような中間スクリーン１６ｍは、作製が容易で安価なものとなる。
【００７１】
以上で説明したヘッドアップディスプレイ装置１００は、自動車やその他移動体に搭載される投影装置に限らず、例えばデジタルサイネージ等に組み込むことができるが、これら以外の用途に適用することもできる。
【符号の説明】
【００７２】
２…車体、  ８…フロントガラス、  １０…描画ユニット、  １１…表示素子、  １３…本体光学系、  １５…投影光学系、  １６…反射型拡散部材、  １６ｍ…中間スクリーン、  １７…虚像生成光学系、  １７ａ…自由曲面ミラー、  １８…表示制御部、  ２０…表示スクリーン、  ３０…虚像表示光学系、  ３０ｂ…射出側合成光学系、  ６２…駆動装置、  ７１…運転者検出部、  ７２…環境監視部、  ９０…主制御装置、  １００…ヘッドアップディスプレイ装置、  ２００…移動体用表示システム、  ＡＸ，ＡＸ１，ＡＸ２…光軸、  ＥＢ…アイボックス、  ＨＫ…表示光、  ＨＴ…瞳、  ＨＷ１，ＨＷ２，ＨＷ３…表示枠、  ＩＭ…表示像、  ＴＩ…中間像、  ＵＮ…運転者
【図１】
2020016799.tif 000003
【図２】
2020016799.tif 000004
【図３】
2020016799.tif 000005
【図４】
2020016799.tif 000006
【図５】
2020016799.tif 000007
【図６】
2020016799.tif 000008
【図７】
2020016799.tif 000009
【図８】
2020016799.tif 000010
【図９】
2020016799.tif 000011
【図１０】
2020016799.tif 000012